(57)【特許請求の範囲】
【請求項１】
輪転機の印刷部と折り部との間に設けられ、前記印刷部で印刷された走行紙の紙引きを行う輪転機の紙引き装置であって、
回転駆動されるドラッグローラと、
このドラッグローラに前記走行紙を押し付ける押付け部材と、
前記ドラッグローラと前記押付け部材とによって前記走行紙の紙引きが行われる紙引き部分の近傍に設けられ、前記ドラッグローラ表面の気流を遮断するドラッグローラ気流遮断部材と、
を有することを特徴とする輪転機の紙引き装置。
【請求項２】
輪転機の印刷部と折り部との間に設けられ、前記印刷部で印刷された走行紙の紙引きを行う輪転機の紙引き装置であって、
回転駆動されるドラッグローラと、
このドラッグローラに前記走行紙を押し付ける押付け部材と、
前記ドラッグローラと前記押付け部材とによって前記走行紙の紙引きが行われる紙引き部分の上流側に設けられ、前記走行紙の走行経路に近接させて、前記走行紙の走行にともなって発生した気流を遮断する走行紙気流遮断部材と、
を有することを特徴とする輪転機の紙引き装置。
【請求項３】
前記走行紙気流遮断部材の上流側に、前記走行経路から遠ざかる方向に傾斜する傾斜面を形成したことを特徴とする請求項２に記載の輪転機の紙引き装置。
【請求項４】
前記傾斜面に、空気が流通する空気流通部を形成したことを特徴とする請求項３に記載の輪転機の紙引き装置。
【請求項５】
輪転機の印刷部と折り部との間に設けられ、前記印刷部で印刷された走行紙の紙引きを行う輪転機の紙引き装置であって、
回転駆動されるドラッグローラと、
このドラッグローラに前記走行紙を押し付ける押付け部材と、
前記ドラッグローラと前記押付け部材とによって前記走行紙の紙引きが行われる紙引き部分の上流側に設けられ、前記走行紙を下方に押圧する押さえ部材と、
を有することを特徴とする輪転機の紙引き装置。
【請求項６】
前記押さえ部材が、前記走行紙の走行によって回転する押さえローラであることを特徴とする請求項５に記載の輪転機の紙引き装置。
【請求項７】
前記押付け部材がワリスローラ又はベルトであることを特徴とする請求項１〜６のいずれかに記載の輪転機の紙引き装置。
【発明の詳細な説明】
【０００１】
【発明の属する技術分野】
本発明は、輪転機の印刷部と当該印刷部で印刷された走行紙を折り畳む折り部との間に配設され、前記印刷部の印刷ユニットで印刷された単数又は複数の走行紙を、印刷部から折り部に引き込むための輪転機の紙引き装置に関するものである。
【０００２】
【従来の技術】
新聞の印刷に使用されている輪転機は、ロール状の巻き取り紙から走行紙を供給する一つ又は複数の給紙部と、この給紙部から供給された走行紙の片面又は両面に印刷を行う印刷部と、この印刷部で印刷された走行紙の走行経路を決定するレールフレーム部と、このレールフレーム部の下流に設けられ、前記走行紙を断裁して折り畳み、重ね合わせて新聞を形成する折り部とを有している。
【０００３】
前記した折り部には、重ね合わされた複数枚の走行紙を折り畳む三角形状のフォーマーが設けられている。そして、このフォーマーの手前には、印刷部で印刷され、重ね合わされた複数枚の走行紙を前記フォーマーに送り込むための紙引き装置が配置されている。この紙引き装置は、一般に、モータ等の駆動体の駆動によって回転駆動するドラッグローラと、このドラッグローラに前記走行紙を押しつけるためのワリスローラとを有している（例えば、本願出願人による特許文献１参照）。
【０００４】
【特許文献１】
特開２００２−３３７３０７号公報（明細書の［０００４］〜［０００８］及び図面の図７参照）
【０００５】
図５は、上記の特許文献１に記載された従来の紙引き装置の要部の構造を説明する概略側面図、図６は、紙引き装置におけるワリスローラの配置を説明するための概略平面図である。
図５に示すように、紙引き装置は、回転駆動するドラッグローラ１０２と、重ね合わされた走行紙１０４の上からドラッグローラ１０２に押し付けられるワリスローラ１０１と、このワリスローラ１０１を所定の押力でドラッグローラ１０２に押し付ける押力調整手段１０３とを有している。
【０００６】
ワリスローラ１０１は、図６に示すように、重ね合わされた複数枚の走行紙１０４を、しわ等を生じさせることなく確実に紙引きできるようにするため、新聞２頁幅の走行紙１０４の幅に対して複数設けられるのが一般的である。例えば、図６（ａ）に示すように、走行紙１０４の左右両側に印刷面１０４ａを有する通常の新聞印刷の場合は、走行紙１０４の両側の余白部分及び中央の余白部分（頁と頁の間の余白部分）の四カ所で走行紙１０４を押さえるようにワリスローラ１０１を配置している。また、図６（ｂ）に示すように、走行紙１０４のほぼ全幅に亘って印刷面１０４ａを有する見開き印刷の場合は、走行紙１０４の両側の余白部分の二カ所のみで走行紙１０４を押さえるようにワリスローラ１０１を配置している。
【０００７】
このワリスローラ１０１は、図示しない支持部材に回転自在に配設してあり、ドラッグローラ１０２の回転に従動して回転する。また、ワリスローラ１０１は、エアシリンダ１０７を主構成要素とする押力調整手段１０３によって、重ね合わされた複数枚の走行紙１０４をドラッグローラ１０２に押し付けている。そして、ドラッグローラ１０２と接触する走行紙１０４が、ドラッグローラ１０２の表面に対して滑らないようにしているとともに、重ね合わされた走行紙１０４どうしが滑らないようにしている。
【０００８】
前記した押力調整手段１０３は、輪転機のフレーム等に取り付けられる固定部材１０５と、この固定部材１０５に一端が回動自在に取り付けられ、ワリスローラ１０１を回転自在に取り付ける図示しない支持部材と、シリンダ基部が固定部材１０５に取り付けられ、伸縮自在なピストンロッド１０７ａの先端が支持部材１０６の他端に取り付けられたエアシリンダ１０７とから概略構成される。
【０００９】
そして、エアシリンダ１０７のピストンロッド１０７ａを縮退させることでワリスローラ１０１をドラッグローラ１０２から遠ざけ、ピストンロッド１０７ａを伸長させることで、ワリスローラ１０１とドラッグローラ１０２との間に走行紙１０４を挟み込むことができるようになっている。また、エアシリンダ１０７は、エアの供給圧力を調整することにより、走行紙１０４に対するワリスローラ１０１の押し付け力を強弱調整することが可能である。
【００１０】
ところで、上記した従来の紙引き装置には以下のような問題点がある。この問題点を、図７を参照しながら説明する。
上記構成の紙引き装置においては、ドラッグローラ１０２には、走行紙１０４の滑りを防止するために、例えば、機械加工により軸方向に溝を設けたり、コーティングによりザラツキを形成するなどの処理が施されている。そのため、ドラッグローラ１０２が回転すると、その表面には、ドラッグローラ１０２の回転と同方向に気流（図中符号Ｉで示す）が発生する。
【００１１】
この気流が、走行紙１０４とともにドラッグローラ１０２とワリスローラ１０１とによる紙引き部分まで導入されると、ワリスローラ１０１によって走行紙１０４が押さえ付けられている部分では、ワリスローラ１０１によって、走行紙１０４とドラッグローラ１０２との間の空気及び走行紙１０４と走行紙１０４の間の空気が大気中に追い出されるものの、ワリスローラ１０１によって押さえ付けられていない部分では、前記気流によってドラッグローラ１０２と走行紙１０４との間に空気層が形成され、走行紙１０４をドラッグローラ１０２の表面から浮かび上がらせる。
また、走行紙１０４にも、表面には微小な凹凸があることから、走行紙１０４の走行によってその表面に気流（図中符号IIで示す）が発生し、この気流がワリスローラ１０１によって押さえ付けられていない部分の空気層の形成をさらに助長する。
【００１２】
このような空気層の形成は、走行紙１０４の走行速度が大きくなるほど顕著になり、ドラッグローラ１０２とワリスローラ１０１による紙引きの際に走行紙を滑りやすくする。さらに、図６（ｂ）に示したような見開き印刷の場合は、ワリスローラ１０１を走行紙の両端にしか設けることができず、ワリスローラ１０１による空気の押し出し作用が小さくなるため、上記の問題が顕著になる。そのため、走行紙１０４を高速で走行させるときには、強い力でワリスローラ１０１を走行紙１０４に押し付ける必要があった。
【００１３】
ところが、ワリスローラ１０１の押し付け力を大きくすると、ドラッグローラの表面形状（溝やザラツキ）により、走行紙１０４が傷つけられたり、破れたりするおそれがある。また、ドラッグローラ１０２の表面やワリスローラ１０１の摩耗が早くなるという問題が生じる。また、走行紙１０４の印刷面に汚れが生じやすくなるという問題もある。
なお、上記の特許文献１に記載の技術では、ワリスローラによる印刷面の汚れ防止のために、ワリスローラに替えて、ベルトで走行紙をドラッグローラに押し付けるようにしているが、ドラッグローラの表面と走行紙との間に空気層が形成されるという問題は解決することができない。
【００１４】
【発明が解決しようとする課題】
本発明は、このような問題を解決するために提案されたものであり、ドラッグローラの回転や走行紙の走行により発生した気流によるドラッグローラと走行紙との間の空気層の形成を抑制して、高速で走行紙を走行させたり、見開き印刷を行ったりする場合にも、ドラッグローラとワリスローラとで滑りなく紙引きを行うことができ、簡素な構成で、かつ、低コストで実施が可能な輪転機の紙引き装置の提供を目的とする。
【００１５】
【課題を解決するための手段】
上記目的を達成するため本発明の第一の手段では、輪転機の印刷部と折り部との間に設けられ、前記印刷部で印刷された走行紙の紙引きを行う輪転機の紙引き装置であって、回転駆動されるドラッグローラと、このドラッグローラに前記走行紙を押し付ける押付け部材と、前記ドラッグローラと前記押付け部材とによって前記走行紙の紙引きが行われる紙引き部分の近傍に設けられ、前記ドラッグローラ表面の気流を遮断するドラッグローラ気流遮断部材とを有する構成としてある。
【００１６】
また、上記目的を達成するための本発明の第二の手段では、輪転機の印刷部と折り部との間に設けられ、前記印刷部で印刷された走行紙の紙引きを行う輪転機の紙引き装置であって、回転駆動されるドラッグローラと、このドラッグローラに前記走行紙を押し付ける押付け部材と、前記ドラッグローラと前記押付け部材とによって前記走行紙の紙引きが行われる紙引き部分の上流側に設けられ、前記走行紙の走行経路に近接させて、前記走行紙の走行にともなって発生した気流を遮断する走行紙気流遮断部材とを有する構成としてある。
【００１７】
この構成によれば、ドラッグローラ気流遮断部材が、ドラッグローラの回転にともなって前記紙引き部分に向かう空気の流れを遮断する。また、走行紙気流遮断部材が走行紙の走行にともなって前記紙引き部分に向かう空気の流れを遮断する。そのため、ワリスローラ等の押付け部材によって押さえ付けられていない部分において、ドラッグローラと走行紙との間に空気層が形成されるのを効果的に防止することができる。
【００１８】
この場合、前記走行紙気流遮断部材の上流側に、前記走行経路から遠ざかる方向に傾斜する傾斜面を形成するのが好ましい。この傾斜面は、走行紙が前記紙引き部分に導入される際に、走行紙と走行紙気流遮断部材との干渉を防止して、走行紙が破れたり、傷付いたりするのを防止する。
また、前記傾斜面には、空気が流通する空気逃がし孔等の空気流通部を形成するとよい。この空気流通部は、走行紙の表面に生じた気流をスムースに走行紙の表面から剥離させ、大気中に拡散させる効果がある。
【００１９】
さらに、上記目的を達成するための本発明の第三の手段では、輪転機の印刷部と折り部との間に設けられ、前記印刷部で印刷された走行紙の紙引きを行う輪転機の紙引き装置であって、回転駆動されるドラッグローラと、このドラッグローラに前記走行紙を押し付ける押付け部材と、前記ドラッグローラと前記押付け部材とによって前記走行紙の紙引きが行われる紙引き部分の上流側に設けられ、前記走行紙を下方に押圧する押さえ部材とを有する構成としてある。
【００２０】
この構成によれば、前記押さえ部材が、走行紙のドラッグローラへの接触圧を高め、走行紙の浮き上がりを抑制することができる。また、走行紙が、ドラッグローラとワリスローラとによって紙引きが行われる紙引き部分に導入されるに先立ち、走行紙から空気の層を押し出すことができる。すなわち、押さえ部材は、走行紙を走行紙気流遮断部材側に押さえることで、走行紙の間の空気の層を押し出し、かつ、走行紙の走行によって生じた走行紙表面の空気の層を押し出すので、ドラッグローラからの走行紙の浮き上がりを抑制するわけである。
【００２１】
なお、前記押さえ部材は、走行紙との接触によって走行紙の印刷面に傷等を付けないものであればその形態は問わない。走行紙との接触面を平滑に仕上げた板状のものであってもよいし、前記走行紙の走行とともに回転するローラ状のもの（押さえローラ）であってもよい。
また、本発明は、ワリスローラにより前記走行紙をドラッグローラに押し付けるタイプの紙引き装置のほかに、ベルトにより前記走行紙をドラッグローラに押し付けるタイプの紙引き装置にも適用が可能である。
上記した第一〜第三の手段は、それぞれ単独でも効果を発揮するが、これらを適宜に組み合わせて実施することで、ドラッグローラからの走行紙の浮き上がり抑制に対して、顕著な効果を得ることができる。
【００２２】
【発明の実施の形態】
以下、本発明の輪転機の紙引き装置の好適な実施形態を、図面を参照しながら詳細に説明する。
［第一の実施形態］
まず、図１を参照しながら、本発明の第一の実施形態について説明する。
図１（ａ）は、本発明の第一の実施形態にかかる紙引き装置の構成を説明する側面図、図１（ｂ）は、図１（ａ）の紙引き装置におけるドラッグローラ，ワリスローラ及びドラッグローラ気流遮断部材の配置関係を示す概略平面図である。なお、図１において、上記の従来技術で説明した図５及び図６と同一の部材、同一の部位には同一の符号を付して、詳しい説明は省略する。また、以下の説明において、「上流」というときには、走行紙の走行方向の上流（図１〜図４の紙面右側）を指し、「下流」というときには、走行紙の走行方向の下流（図１〜図４の紙面左側）を指すものとする。
【００２３】
図１（ａ）に示すように、第一の実施形態の紙引き装置は、ドラッグローラ１０２の上流側に、ドラッグローラ１０２の回転にともなって発生した気流が、ワリスローラ１０１とドラッグローラ１０２とによって紙引きが行われる部分に侵入しないようにするドラッグローラ気流遮断部材１１０を有している。
このドラッグローラ気流遮断部材１１０は、折り部の三角板１０８を支持している輪転機のフレーム１００等に取り付けられた支持部１１２と、この支持部１１２に取り付けられ、支持部１１２からドラッグローラ１０２の表面の近傍まで延出する気流遮断部１１１とから構成されている。
【００２４】
気流遮断部１１１の幅（図１の紙面に直交する方向の幅）は、図１（ｂ）に示すように、少なくとも走行紙１０４の幅より広幅とするのがよく、ドラッグローラ１０２の軸方向の全長とほぼ同じとするのが好ましい。また、その先端１１１ａは、ドラッグローラ１０２の表面から気流を効率良く剥離できるように、図１（ａ）に示すように、ドラッグローラ１０２の表面の近傍で、ドラッグローラ１０２の回転方向とは逆側に、Ｕ字状に折り返すのが好ましい。
このようにすることで、ドラッグローラ１０２の回転にともなってその表面に発生する気流を、ほぼ完全に遮断することができる。
【００２５】
なお、気流遮断部１１１の材質は、ドラッグローラ１０２の回転にともなって発生する気流を遮断することができるのであればその種類は問わないが、先端１１１ａをドラッグローラ１０２に接触させる場合は、少なくともドラッグローラ１０１よりも軟質の材料で形成するのが好ましい。
【００２６】
［第二の実施形態］
次に、図２を参照しながら、本発明の第二の実施形態について説明する。
図２（ａ）は、本発明の第一の実施形態にかかる紙引き装置の構成を説明する側面図、図２（ｂ）は、図２（ａ）の紙引き装置におけるドラッグローラ，ワリスローラ及びドラッグローラ気流遮断部材の配置関係を示す概略平面図である。この図２においても、従来技術で説明した図５及び図６と同一の部材、同一の部位には同一の符号を付して、詳しい説明は省略する。
【００２７】
図２（ａ）に示すように、この第二の実施形態の紙引き装置は、ドラッグローラ１０２の上流側に、ドラッグローラ１０２の回転にともなって発生した気流及び走行紙１０４の走行によって発生した気流を、ワリスローラ１０１とドラッグローラ１０２とによって紙引きが行われる部分に差し向けないようにする気流遮断部材１２０を有している。
【００２８】
この気流遮断部材１２０は、折り部の三角板１０８を支持しているフレーム１００に取り付けられた支持部１２２と、この支持部１２２に取り付けられ、ドラッグローラ１０２の回転にともなって発生した気流を遮断する第一の気流遮断部１２１と、この第一の気流遮断部１２１の上流側の端部に取り付けられ、走行紙１０４の走行によって発生した気流を遮断する第二の気流遮断部１２３とから構成されている。
【００２９】
第一の気流遮断部１２１の幅（図２の紙面に直交する方向の幅）は、図２（ｂ）に示すように、少なくとも走行紙１０４の幅より広幅とするのがよく、ドラッグローラ１０２の軸方向の全長とほぼ同じであるのが好ましい。また、その先端１２１ａは、第一の実施形態のドラッグローラ気流遮断部１１０と同様に、Ｕ字状に折り返すのが好ましい。
【００３０】
第二の気流遮断部１２３は、走行紙１０４の走行経路とほぼ平行な面を有する板状の部材から形成され、その幅は、少なくとも走行紙１０４の幅と同じか、走行紙１０４の幅より若干広幅にするのが好ましい。
また、第二の気流遮断部１２３の上流側の端部には、上流に向かうほど走行紙１０４の走行経路から遠ざかる方向に傾斜する傾斜面１２３ａを形成するのが好ましい。この傾斜面１２３ａは、走行紙１０４と第二の気流遮断部１２３との干渉を防止して、走行紙１０４が破れたり、印刷面に傷が付いたりするのを防止する。
【００３１】
さらに、傾斜面１２３ａには、図２（ｂ）に示すように、傾斜面１２３ａの表面側（走行紙１０４側）から裏面側に空気を逃すための空気逃がし孔１２３ｂを一つ又は複数形成するのが好ましい。この空気逃がし孔１２３ｂは、走行紙１０４の表面に生じた気流を、スムースに走行紙１０４の表面から剥離させ、大気中に拡散させる効果がある。
なお、傾斜面１２３ａの表面側（走行紙１０４側）から裏面側に空気を逃すことができるのであれば、孔の形状は図２（ｂ）に示すものに限られない。また、空気を逃すことができるのであれば、孔に限らず、例えば切り欠き状の溝を傾斜面１２３ａに一つ又は複数形成してもよい。
【００３２】
第二の気流遮断部１２３に対峙する位置には、走行紙１０４を第二の気流遮断部１２３側に押す押さえローラ１３２が配置されている。この押さえローラ１３２は、アーム１３１によって固定部材１０５の上端に軸支され、固定部材１０５の上端を中心に回動自在である。また、図示しないばね等の付勢手段により、アーム１３１及び押さえローラ１３２は常時下方（図２の紙面の下方）に付勢されていて、走行紙１０４を押さえることができるようになっている。
なお、図示するように、押さえローラ１３２は、第二の気流遮断部１２３に接触させない程度の力で走行紙１０４を押すのがよく、また、走行紙１０４の印刷面に傷を付けることがないように、樹脂等の軟質の材料で形成するのが好ましい。
【００３３】
走行紙１０４を第二の気流遮断部１２３側に押すことで、走行紙１０４のドラッグローラ１０２への接触圧を高め、走行紙１０４の浮き上がりを抑制することができる。また、走行紙１０４がドラッグローラ１０２とワリスローラ１０１とによる紙引き部分に導入されるに先立ち、走行紙から空気の層を押し出すことができる。すなわち、押さえローラ１３２は、走行紙１０４を第二の気流遮断部１２３に向けて押さえることで、走行紙１０４の間の空気の層を押し出し、かつ、走行紙１０４の走行によって生じた表面の空気の層を押し出すので、ドラッグローラ１０２の表面と走行紙１０４との間における空気層の形成抑制効果をさらに高めることができるわけである。
【００３４】
なお、押さえローラ１３２の幅は、走行紙１０４の幅と同等としてもよいが、ワリスローラ１０１によって押さえつけられていない部分の走行紙１０４の浮き上がりを防止することができればよいのであるから、図２（ｂ）に示すように、ワリスローラ１０１とワリスローラ１０４との間隔と同一か、これよりも若干小さい幅を有するものとしてもよい。また、小さい幅の押さえローラ１３２を、走行紙１０４の幅方向に複数配置するようにしてもよい。
【００３５】
［第三の実施形態］
次に、図３を参照しながら、本発明の第三の実施形態について説明する。
走行紙１０４を第二の気流遮断部１２３側に押すことで、走行紙１０４の表面から空気の層を確実に押し出すことができるのであれば、押さえ部材はローラ状のものに限らず、他の形態のものを使用することができる。
そこで、この第三の実施形態の紙引き装置では、第二の実施形態の押さえローラ１３２に代えて、アーム１３１に板状の押さえ部材１４２を取り付けている。
【００３６】
板状の押さえ部材１４２の幅は、第二の実施形態の押さえローラ１３２と同様に、走行紙１０４の幅とほぼ同じであってもよいし、ワリスローラ１０１とワリスローラ１０４との間隔と同一か、これよりも若干小さいものとしてもよい。また、押さえ部材１４２の前後両端は、走行紙１０４と干渉して破れを生じさせたり傷を付けたりしないように、図示するように傾斜状に形成するのが好ましい。さらに、走行紙１０４の印刷面に傷を付けないように、押さえ部材１４２は樹脂等の軟質の材料で形成するのが好ましく、走行紙１０４と接触する面は平滑に仕上げるのが好ましい。
【００３７】
［第四の実施形態］
本発明においては、例えば、第二の実施形態で説明した第一の気流遮断部１２１，第二の気流遮断部１２３をそれぞれ個別に実施することが可能で、各々を独立して実施することによっても、ワリスローラ１０１とドラッグローラ１０２とによって紙引きを行う紙引き部分における空気層の形成を抑制することができる。
また、上記の第二の実施形態における押さえローラ１３２及び第三の実施形態の押さえ部材１４２についても、独立して実施することが可能である。
【００３８】
この第四の実施形態では、図４に示すように、第二の実施形態の押さえローラ１３２のみを用いて、走行紙１０４をドラッグローラ１０２側に押圧するようにしている。このように、押さえローラ１３２のみによっても、走行紙１０４のドラッグローラ１０２への接触圧を高め、走行紙１０４の浮き上がりを抑制することができる。また、走行紙１０４がドラッグローラ１０２とワリスローラ１０１とによる紙引き部分に導入されるに先立ち、走行紙１０４の間から空気の層を押し出すことができる。
【００３９】
本発明の好適な実施形態について説明してきたが、本発明は上記の実施形態により何ら限定されるものではない。
例えば、上記の説明では、走行紙１０４をドラッグローラ１０２に押し付けるための押付け部材としてワリスローラ１０１を用いた紙引き装置を例に挙げて説明したが、本発明は、例えば、上記の特許文献１（特開２００２−３３７３０７号公報）に開示されているような、ベルトによって走行紙１０４をドラッグローラ１０２に押し付ける紙引き装置にも適用が可能である。
【００４０】
また、本発明は、折り部の上方に設けられた紙引き装置に限らず、印刷部と折り部との間に設けられた他の紙引き装置に適用が可能である。
さらに、上記の説明で押さえローラ１３２及び押さえ部材１４２は、ばねの付勢力によって走行紙１０４を下方に付勢するものとして説明したが、ローラ１３２又は押さえ部材１４２を予め決定した位置に固定し、走行紙１０４がローラ１３２又は押さえ部材１４２を通過する際に、ローラ１３２又は押さえ部材１４２によって、走行紙１０４に下向きの押圧力が付勢されるように構成することも可能である。
【００４１】
【発明の効果】
以上説明したように、本発明の輪転機の紙引き装置によれば、ドラッグローラの回転や走行紙の走行によって発生する気流が、ドラッグローラとワリスローラとによって紙引きが行われる部分の手前で有効に遮断されるので、当該部分におけるドラッグローラと走行紙との間の空気層の形成を効果的に抑制して、高速で走行紙を走行させたり、見開き印刷を行ったりする場合にも、ドラッグローラとワリスローラとで滑りなく紙引きを行うことができる。
また、本発明は、既存の紙引き装置に簡単な改良を施すだけでよいので、低コストで大きな効果を得ることができる。
【図面の簡単な説明】
【図１】図１（ａ）は、本発明の第一の実施形態にかかる紙引き装置の構成を説明する側面図、図１（ｂ）は、図１（ａ）の紙引き装置におけるドラッグローラ，ワリスローラ及びドラッグローラ気流遮断部材の配置関係を示す概略平面図である。
【図２】図２（ａ）は、本発明の第一の実施形態にかかる紙引き装置の構成を説明する側面図、図２（ｂ）は、図２（ａ）の紙引き装置におけるドラッグローラ，ワリスローラ及びドラッグローラ気流遮断部材の配置関係を示す概略平面図である。
【図３】本発明の第三の実施形態にかかる紙引き装置の構成を説明する側面図である。
【図４】本発明の第四の実施形態にかかる紙引き装置の構成を説明する側面図である。
【図５】本発明の従来例にかかる紙引き装置の構成を説明する側面図である。
【図６】紙引き装置におけるワリスローラの配置を説明するための平面図である。
【図７】図５の紙引き装置における空気層形成の問題点を説明する部分拡大概略図である。
【符号の説明】
１００  フレーム
１０１  ワリスローラ（押付け部材）
１０２  ドラッグローラ
１０３  押力調整手段
１０４  走行紙
１０４ａ  印刷面
１０５  固定部材
１０７  エアシリンダ
１０７ａ  ピストンロッド
１０８  三角板
１１０  ドラッグローラ気流遮断部材
１１１  気流遮断部
１１１ａ  先端
１１２  支持部材
１２０  気流遮断部材
１２１  第一の気流遮断部
１２１ａ  先端
１２２  支持部材
１２３  第二の気流遮断部
１２３ａ  傾斜面
１２３ｂ  の空気逃がし孔
１３１  アーム
１３２  押さえローラ
１４２  押さえ部材
I  ドラッグローラ表面の気流を示す矢印
II  走行紙表面の気流を示す矢印
【図１】
0003704525.tif 000002
【図２】
0003704525.tif 000003
【図３】
0003704525.tif 000004
【図４】
0003704525.tif 000005
【図５】
0003704525.tif 000006
【図６】
0003704525.tif 000007
【図７】
0003704525.tif 000008